(57)【要約】  【課題】被検体の撮影部位で起こった変化を直ちにＸ線画像に出現させる。  【解決手段】この発明の装置は、Ｘ線管１のＸ線照射に伴ってＦＰＤ２から出力されるＸ線画像用データに基づきＸ線画像取得部３が取得する被検体Ｍの透過Ｘ線像に対応するＸ線透視画像を交互に取り込んで更新保持する第１と第２のバッファメモリ４Ａ，４Ｂが、Ｘ線透視画像の更新保持の際、Ｘ線画像取得部３からのＸ線透視画像を画像表示クロックとは別の画像取り込みクロックに従って取り込む構成を備えていて、Ｘ線画像取得部３でＸ線透視画像を取得するのに必要な時間が画像表示クロックの有効期間内を超過しても、画像表示クロックに拘束されずに第１と第２のバッファメモリ４Ａ，４Ｂによって新たに取得されたＸ線透視画像が遅滞なく更新保持されるので、画像表示モニタ４ａで表示されるＸ線透視画像に被検体Ｍの撮影部位で起こった変化を速やかに出現させられる。【選択図】    図１
2006081736.tif 000002
【特許請求の範囲】
【請求項１】
被検体にＸ線を照射するＸ線管と、被検体の透過Ｘ線像を検出する２次元Ｘ線検出器と、Ｘ線管による被検体へのＸ線照射に伴って２次元Ｘ線検出器から出力されるＸ線画像用データに基づいて被検体の透過Ｘ線像に対応するＸ線画像を取得する画像取得部と、画像取得部から送り出されるＸ線画像を交互に取り込んで更新保持する第１と第２のバッファメモリと、第１と第２のバッファメモリに保持されているＸ線画像を画像表示クロックに従って交互に映し出す画像表示モニタとを備えているＸ線撮影装置において、第１と第２のバッファメモリが、Ｘ線画像の更新保持の際に画像取得部から送り出されるＸ線画像を画像表示クロックとは別の画像取り込みクロックに従って取り込むことを特徴とするＸ線撮影装置。
【請求項２】
請求項１に記載のＸ線撮影装置において、画像表示モニタでは、ＮＴＳＣ方式に従って定められている表示走査期間にＮＴＳＣ方式に従って定められている帰線消去期間を付加した時間毎にＸ線画像が映し出されるＸ線撮影装置。
【請求項３】
請求項１または２に記載のＸ線撮影装置において、２次元Ｘ線検出器がフラットパネル型Ｘ線検出器であるＸ線撮影装置。
【発明の詳細な説明】
【技術分野】
【０００１】
この発明は、Ｘ線管による被検体へのＸ線照射に伴って２次元Ｘ線検出器から出力されるＸ線画像用データに基づき被検体の透過Ｘ線像に対応するＸ線画像が取得されて画像表示モニタに映し出されるＸ線撮影装置に係り、Ｘ線画像の応答速度をアップするための技術に関する。
【背景技術】
【０００２】
近年、病院等の医療機関で診断・治療に用いられているＸ線透視撮影装置は、図１０に示すように、被検体ＭにＸ線を照射するＸ線管６１と、被検体Ｍの透過Ｘ線像を検出する２次元Ｘ線検出器であるフラットパネル型Ｘ線検出器（以下、適宜「ＦＰＤ」と略記）６２と、Ｘ線管６１による被検体ＭへのＸ線照射に伴ってＦＰＤ６２から出力されるＸ線画像用データに基づいて被検体Ｍの透過Ｘ線像に対応するＸ線透視画像を取得するＸ線画像取得部６３と、Ｘ線画像取得部６３から送り出されるＸ線透視画像を交互に取り込んで更新保持する二つのバッファメモリ６４，６５と、両バッファメモリ６４，６５に保持されているＸ線画像を画像表示クロックに従って交互に映し出す画像表示モニタ６６などを備えている（例えば、特許文献１を参照。）。
【０００３】
図１０のＸ線透視撮影装置の場合、画像表示モニタ６６の画像表示周期とＸ線管６１のＸ線照射周期が一致しており、画像表示モニタ６６の画像表示と同期したタイミングでＸ線管６１から被検体ＭにＸ線が照射される。Ｘ線管６１による被検体ＭへのＸ線照射に伴ってＦＰＤ６２からはディジタル化されたＸ線画像用データが出力される。
【０００４】
一方、Ｘ線画像取得部６３は、パイプライン方式でＸ線画像用データのデータ処理を行なってＸ線透視画像を取得する。Ｘ線画像取得部６３におけるデータ処理としては、ＦＰＤ６２からＸ線画像用データを読み出すデータ読み出し処理、Ｘ線画像用データに必要な補正を施すデータ補正処理、補正済みのＸ線画像用データに画像輝度調整用の階調変換を施す輝度調整処理などがある。このように、Ｘ線画像取得部６３がＸ線画像用データのパイプライン方式でＸ線画像用データをデータ処理して取得したＸ線透視画像は、バッファメモリ６４，６５で交互に更新保持される。そして、バッファメモリ６４，６５のうち一方のバッファメモリが更新画像を取り込んでいる間に他方のバッファメモリから保持画像を取り出して画像表示モニタ６６へ送出する。その結果、Ｘ線画像取得部６３で取得されるＸ線透視画像は、遅滞なく画像表示モニタ６６で映し出される。
【特許文献１】特開２００１−９５７０４５号公報（３〜５頁、図１〜図３）
【発明の開示】
【発明が解決しようとする課題】
【０００５】
しかしながら、従来のＸ線透視撮影装置の場合、Ｘ線透視画像の応答速度が遅いという問題がある。例えば、被検体Ｍの手術部位をＸ線透視撮影して画像表示モニタ６６で映し出して観察しながら医師が手術を行なっているような場合、撮影対象の被検体Ｍの手術部位で起こる変化（例えば手術用メスの動き）が少し遅れて画像表示モニタ６６の画面に現れるので、撮影対象の被検体Ｍの手術部位で起こる変化がＸ線透視画像を観察している医師には分かり辛い。
【０００６】
被検体Ｍの透過Ｘ線像を検出する２次元Ｘ線検出器がＦＰＤ６２である場合、Ｘ線画像用データの取り出しに時間がかかって、Ｘ線照射からＸ線透視画像の取得までの時間が長くなり、Ｘ線画像取得部６３でのデータ処理の状況によっては、Ｘ線透視画像の表示が１画面分遅れることがある。
【０００７】
従来の装置の場合、画像表示モニタ６６では、表示走査期間に帰線消去期間を付加した時間毎にＸ線透視画像が表示される。つまり、画像表示周期の１周期分の時間〔＝（表示走査期間）＋（帰線消去期間）〕毎に繰り返しＸ線透視画像が、画像表示モニタ６６の画面に映し出されるのである。
【０００８】
また、従来の装置では、Ｘ線画像取得部６３でのＸ線透視画像の取得が表示走査期間以内に終わらずに帰線消去期間にまでズレ込んだ場合、バッファメモリ６４，６５でのＸ線透視画像の更新保持処理が次の表示走査期間開始以降になってしまう。バッファメモリ６４，６５は、Ｘ線画像取得部６３から送り出されるＸ線透視画像を画像表示クロックに従って交互に取り込んで更新保持するのであるが、帰線消去期間は画像表示クロックがバッファメモリ６４，６５に与えられないので、バッファメモリ６４，６５でのＸ線透視画像の更新保持処理は、バッファメモリ６４，６５に再び画像表示クロックが与えられる次の表示走査期間開始以降にならざるを得ないのである。
【０００９】
したがって、Ｘ線画像取得部６３でのＸ線透視画像の取得が帰線消去期間にまでズレ込んだ場合、次の表示走査期間が到来しても、Ｘ線透視画像の更新保持処理が未了であるので、画像表示モニタ６６で未更新のＸ線透視画像を再び表示するしかない。その結果、画像表示モニタ６５では、例えば、図１１に示すように、Ｘ線透視画像Ｐａ→Ｘ線透視画像Ｐａ→Ｘ線透視画像Ｐｂ→Ｘ線透視画像Ｐｂと同じ画像が２回ずつ表示され、撮影対象の被検体Ｍの手術部位で起こる変化が画像表示周期の１周期分の時間ｔａだけ（１画面分だけ）遅れて画像表示モニタ６６の画面に現れることになるのである。
【００１０】
この発明は、このような事情に鑑みてなされたものであって、画像表示モニタに映し出されるＸ線画像に被検体の撮影部位で起こった変化を速やかに出現させることができる（つまり、Ｘ線画像の応答速度をアップさせることができる）Ｘ線撮影装置を提供することを目的とする。
【課題を解決するための手段】
【００１１】
請求項１の発明は、このような目的を達成するために、次のような構成をとる。
【００１２】
即ち、請求項１に記載の発明に係るＸ線撮影装置は、被検体にＸ線を照射するＸ線管と、被検体の透過Ｘ線像を検出する２次元Ｘ線検出器と、Ｘ線管による被検体へのＸ線照射に伴って２次元Ｘ線検出器から出力されるＸ線画像用データに基づいて被検体の透過Ｘ線像に対応するＸ線画像を取得する画像取得部と、画像取得部から送り出されるＸ線画像を交互に取り込んで更新保持する第１と第２のバッファメモリと、第１と第２のバッファメモリに保持されているＸ線画像を画像表示クロックに従って交互に映し出す画像表示モニタとを備えているＸ線撮影装置において、第１と第２のバッファメモリが、Ｘ線画像の更新保持の際に画像取得部から送り出されるＸ線画像を画像表示クロックとは別の画像取り込みクロックに従って取り込むことを特徴とするものである。
【００１３】
［作用・効果］請求項１の発明のＸ線撮影装置によるＸ線撮影では、Ｘ線管から被検体にＸ線が照射されると共に、Ｘ線の照射に伴って２次元Ｘ線検出器から出力されるＸ線画像用データに基づいて被検体の透過Ｘ線像に対応するＸ線画像がＸ線照射の度に画像取得部で取得される。このようにＸ線照射毎に取得されるＸ線画像は、第１と第２のバッファメモリにより取り込まれて更新保持される。そして、第１と第２のバッファメモリに保持されているＸ線画像は画像表示クロックに従って交互に取り出されて画像表示モニタで映し出される。
【００１４】
すなわち、請求項１の発明のＸ線撮影装置の場合、Ｘ線管による被検体へのＸ線照射に伴って２次元Ｘ線検出器から出力されるＸ線画像用データに基づいて画像取得部が取得する被検体の透過Ｘ線像に対応するＸ線画像を交互に取り込んで更新保持する第１と第２のバッファメモリが、Ｘ線画像の更新保持の際に画像取得部から送り出されるＸ線画像を画像表示クロックとは別の画像取り込みクロックに従って画像表示クロックとは関係なく取り込む構成を備えていて、画像取得部でＸ線画像を取得するのに必要な時間が画像表示クロックの有効期間内を超過した場合でも、第１と第２のバッファメモリは画像表示クロックに拘束されることなく画像取得部で取得されたＸ線画像を遅滞なく更新保持できるので、画像表示モニタに映し出されるＸ線画像に被検体の撮影部位で起こった変化を速やかに出現させられる。
【００１５】
さらに、請求項２の発明は、請求項１に記載のＸ線撮影装置において、画像表示モニタでは、ＮＴＳＣ方式（National Television System Committee方式) に従って定められている表示走査期間にＮＴＳＣ方式に従って定められている帰線消去期間を付加した時間毎にＸ線画像が映し出されるものである。
【００１６】
［作用・効果］請求項２の発明のＸ線撮影装置の場合、画像表示モニタでの表示走査期間と帰線消去期間とがＮＴＳＣ方式に従って定められているので、本発明の装置を製造する際に、汎用的なＮＴＳＣ方式仕様の画像表示技術を利用することができる。
【００１７】
また、請求項３の発明は、請求項１または２に記載のＸ線撮影装置において、２次元Ｘ線検出器がフラットパネル型Ｘ線検出器であるものである。
【００１８】
［作用・効果］請求項３の発明のＸ線撮影装置の場合、２次元Ｘ線検出器が軽量・薄型のフラットパネル型Ｘ線検出器であるので、Ｘ線透過像検出用の２次元Ｘ線検出器まわりの構成の簡素化が図れる。
【００１９】
また、フラットパネル型Ｘ線検出器は、検出応答性がイメージインテンシファイアほど良くはないので、画像取得部でＸ線画像を取得するのに必要な時間が画像表示クロックの有効期間内を超過しがちであるが、画像取得部で取得されたＸ線画像は第１と第２のバッファメモリにより遅滞なく更新保持されるので、フラットパネル型Ｘ線検出器の検出応答性がＸ線画像の速やかな更新保持の妨げになることもない。
【発明の効果】
【００２０】
請求項１の発明のＸ線撮影装置によれば、Ｘ線管による被検体へのＸ線照射に伴って２次元Ｘ線検出器から出力されるＸ線画像用データに基づいて画像取得部が取得する被検体の透過Ｘ線像に対応するＸ線画像を交互に取り込んで更新保持する第１と第２のバッファメモリが、Ｘ線画像の更新保持の際に画像取得部から送り出されるＸ線画像を画像表示クロックとは別の画像取り込みクロックに従って画像表示クロックとは関係なく取り込む構成を備えていて、画像取得部でＸ線画像を取得するのに必要な時間が画像表示クロックの有効期間内を超過した場合でも、第１と第２のバッファメモリは画像表示クロックに拘束されることなく画像取得部で取得されたＸ線画像を遅滞なく更新保持できるので、画像表示モニタに映し出されるＸ線画像に被検体の撮影部位で起こった変化を速やかに出現させられる（つまり、Ｘ線画像の応答速度をアップさせることができる）。
【実施例】
【００２１】
この発明のＸ線撮影装置の実施例を、図面を参照しながら説明する。図１は実施例に係る医用のＸ線透視撮影装置の全体構成を示すブロック図、図２は実施例の装置が装備するフラットパネル型Ｘ線検出器におけるＸ線検出素子の配置状況を示す平面図、図３実施例の装置が装備するフラットパネル型Ｘ線検出器の構成を示すブロック図、図４は実施例の装置の画像表示器の画像表示周期を示すタイムチャートである。
【００２２】
実施例のＸ線透視撮影装置は、図１に示すように、天板Ｕに載置された被検体ＭにＸ線を照射するＸ線管１と、被検体Ｍの透過Ｘ線像を検出する２次元Ｘ線検出器である直接変換タイプのフラットパネル型Ｘ線検出器（以下、適宜「ＦＰＤ」と略記）２と、Ｘ線管１による被検体ＭへのＸ線照射に伴ってＦＰＤ２から出力されるＸ線画像用データに基づいて被検体Ｍの透過Ｘ線像に対応するＸ線透視画像を取得するＸ線画像取得部３と、Ｘ線画像取得部３で取得されたＸ線透視画像の表示を行なう画像表示器４を備えている。
【００２３】
実施例の装置では、Ｘ線管１とＦＰＤ２とが天板Ｕを挟んで対向配置されていて、Ｘ線撮影実行中、前段に配備されているＸ線照射制御部５の制御を受けながらＸ線管１がＸ線撮影条件に見合ったＸ線を被検体Ｍに照射する。ＦＰＤ２はＸ線管１のＸ線照射に伴ってＸ線検出面に投影される被検体Ｍの透過Ｘ線像を検出してＸ線画像用データとして出力する。Ｘ線画像取得部３はＦＰＤ２から出力されるＸ線画像用データを取り込んでＸ線透視画像を取得する。実施例の装置によるＸ線透視撮影の実行の際は、Ｘ線照射周期の１周期分の時間ｔａ毎にＸ線管１が被検体ＭへのＸ線照射を繰り返し行い、Ｘ線画像取得部３は各Ｘ線照射（Ｘ線ショット）毎のＸ線透視画像を取得することになる。
【００２４】
一方、透過Ｘ線像検出用のＦＰＤ２は、図２に示すように、Ｘ線検出面に多数のＸ線検出素子２ａが、Ｘ線透視画像の画素配列に対応する配列でＸ方向（横方向）とＹ方向（縦方向）に配置されている。より具体的には、例えばＸ方向とＹ方向にそれぞれ４０００個程度のＸ線検出素子２ａが並ぶ約４０００×約４０００の正方形マトリックスの配列でＸ線検出素子２ａが配置されている。実施例の装置が装備するＦＰＤ２は軽量・薄型の検出器であるので、Ｘ線透過像検出用の２次元Ｘ線検出器まわりの構成の簡素化が図れる。
【００２５】
また、ＦＰＤ２は、図３に示すように、Ｘ線検出素子２ａが配置されているＦＰＤ本体２Ａと、Ｘ線検出素子２ａが検出したＸ線検出信号をＦＰＤ本体２Ａから読み出す検出信号読み出し部２Ｂと、Ｘ線検出信号をディジタル化しＸ線画像用データとして送り出すＡ／Ｄ変換部２Ｃと、Ａ／Ｄ変換部２Ｃから送り出されてくるＸ線画像用データを保持する画像用データ保持部２Ｄとを有し、Ｘ線管１によるＸ線照射が行なわれる毎にＸ線透視画像１枚分のＸ線画像用データが画像用データ保持部２Ｄに収集保持される構成とされている。さらに、ＦＰＤ２の場合、画像用データ保持部２Ｄは保持しているＸ線画像用データをＸ線画像取得部３からの要求にしたがって出力する構成とされている。
【００２６】
他方、Ｘ線画像取得部３は、図１に示すように、パイプライン方式でＸ線画像用データのデータ処理を行なう３つの画像用データ処理部３Ａ〜３Ｃを有している。
【００２７】
画像用データ処理部３Ａは、ＦＰＤ２の画像用データ保持部２ＤからＸ線画像用データを原データメモリ３ａに取り込んで格納する。
【００２８】
画像用データ処理部３Ｂは原データメモリ３ａからＸ線画像用データを読み出して処理データメモリ３ｂに納めると共にＸ線画像用データに必要な補正を施す。画像用データ処理部３ＢがＸ線画像用データに施す補正としては、例えば、Ｘ線検出素子２ａの間の感度バラツキによる誤差を修正する感度補正、Ｘ線画像用データにおける特定の周波数成分を強調する特定周波数強調補正、Ｘ線画像用データに含まれるノイズ成分を除くフィルタリング補正等が挙げられる。
【００２９】
画像用データ処理部３Ｃは画像用データ処理部３Ｂで補正を施されたＸ線画像用データに画像輝度調整用の階調変換（濃度変換）を施してＸ線透視画像としてＸ線画像メモリ３ｃに格納する。
【００３０】
画像表示器４には、Ｘ線画像取得部３から送り出されるＸ線透視画像を交互に取り込んで更新保持する第１と第２のバッファメモリ４Ａ，４Ｂと、各バッファメモリ４Ａ，４Ｂに保持されているＸ線透視画像を画像表示クロックに従って交互に映し出す画像表示モニタ４ａが配設されている。なお、画像表示モニタ４ａの画面には、Ｘ線透視画像以外にＸ線撮影に必要な操作メニューなども映し出される。
【００３１】
Ｘ線照射毎にＸ線画像取得部３で取得されるＸ線透視画像は、第１と第２のバッファメモリ４Ａ，４Ｂにより取り込まれて更新保持される。そして、第１と第２のバッファメモリ４Ａ，４Ｂに保持されているＸ線透視画像は画像表示クロックに従って交互に取り出されて画像表示モニタ４ａで映し出される。
【００３２】
具体的には、第１と第２のバッファメモリ４Ａ，４Ｂのうち一方のバッファメモリ（例えば第１バッファメモリ４Ａ）で保持されているＸ線透視画像が画像表示モニタ４ａで映し出されている場合、Ｘ線画像取得部３で新たなＸ線透視画像が取得されると、第１と第２のバッファメモリ４Ａ，４Ｂのうち非表示中のＸ線透視画像が保持されている方のバッファメモリ（例えば第２バッファメモリ４Ｂ）が新たに取得されたＸ線透視画像を直ちに取り込んで更新保持する。第１バッファメモリ４Ａで保持されているＸ線透視画像の表示が終われば、次は第２バッファメモリ４Ｂで保持されているＸ線透視画像が取り出されて画像表示モニタ４ａで映し出されると共に、Ｘ線画像取得部３で新たなＸ線透視画像が取得されると、第１バッファメモリ４Ａが新たに取得されたＸ線透視画像を直ちに取り込んで更新保持する。
【００３３】
以下、第１と第２のバッファメモリ４Ａ，４Ｂは、Ｘ線透視画像の表示と更新を両バッファメモリ４Ａ，４Ｂの間で、図５に示すように、表示走査期間（垂直走査期間）ＴＡに帰線消去期間ＴＢを付加した時間ｔａ毎に交互に交替させながら繰り返し行なう。その結果、画像表示モニタ４ａでは、画像表示周期の１周期分の時間ｔａ毎にＸ線透視画像が周期的に映し出される。また、実施例の装置の場合、画像表示器４の表示走査期間ＴＡも帰線消去期間ＴＢもＮＴＳＣ方式に従って定められたものである。
【００３４】
すなわち、上述した通り、画像表示周期の１周期分の時間ｔａは〔（表示走査期間ＴＡ）＋（帰線消去期間ＴＢ）〕であり、ＮＴＳＣ方式の場合、通常、時間ｔａのうち９３．５％が表示走査期間ＴＡであり、残り６．５％が帰線消去期間ＴＢである。例えば、３０枚／秒の画像表示速度の時だと、帰線消去期間ＴＢは２ｍｓ（ミリ秒）となる。
【００３５】
また、ＮＴＳＣ方式で定められている帰線消去期間ＴＢは、図６に示すように、等価期間ＴＢ１と垂直同期期間ＴＢ２と等価期間ＴＢ３とカラーバラスト期間ＴＢ４との合計であるが、画像表示周期の１周期分の時間ｔａの６．５％の長さがあり、画像用データ処理の高速化とも相まって、Ｘ線画像取得部３で取得したＸ線透視画像を帰線消去期間ＴＢが終わる迄の間に画像表示器４に送り込める余裕のある時間である。
【００３６】
そして、さらに実施例のＸ線透視撮影装置の場合、第１と第２のバッファメモリ４Ａ，４Ｂが、Ｘ線透視画像の更新保持の際にＸ線画像取得部３から送り出されるＸ線透視画像を画像表示クロックとは別の画像取り込みクロックに従って取り込む構成とされており、図７に示すように、画像表示クロックの方は表示走査期間ＴＡでのみ有効であるのに対し、画像取り込みクロックの方は表示走査期間ＴＡだけでなく帰線消去期間ＴＢでも有効である。
【００３７】
一方、Ｘ線画像取得部３ではＸ線画像メモリ３ｃに新たなＸ線透視画像が格納された時点で画像取得完了となるのであるが、画像取得完了の時点は、通常、図８（ａ）に示すように、画像取得完了の時点は表示走査期間ＴＡ内であり、直ちに第１ないし第２のバッファメモリ４Ａ，４Ｂによる画像取り込みが開始されてＸ線透視画像の更新保持が遅滞なく行なわれる。
【００３８】
しかし、Ｘ線画像取得部３における画像取得完了の時点は、表示走査期間ＴＡ内であるとは限らず、Ｘ線画像取得部３の処理の状況によっては、図８（ｂ）に示すように、画像取得完了の時点が帰線消去期間ＴＢにずれ込むことがある。しかし、図７に示すように、画像取り込みクロックは画像表示クロックとは別のクロックであり、帰線消去期間ＴＢも画像取り込みクロックは有効であるので、やはり直ちに第１ないし第２のバッファメモリ４Ａ，４Ｂによる画像取り込みが開始されてＸ線透視画像の更新保持が遅滞なく行なわれる。
【００３９】
その結果、Ｘ線画像取得部３で取得された新たなＸ線透視画像は直ぐ次の画像表示期間ＴＡで（直ぐ次の周期で）で画像表示モニタ４ａの画面に映し出されるので、画像表示モニタ４ａの画面には、図９に示すように、Ｘ線透視画像ＰＡ→Ｘ線透視画像ＰＢ→Ｘ線透視画像ＰＣ→Ｘ線透視画像ＰＤと１周期毎に画像が確実に変化し、図１１に示した従来のように、同一の画像が２回繰り返し表示されるようなことはなくなる。
【００４０】
なお、操作部６はＸ線撮影の撮影条件の設定や、Ｘ線撮影の実行に必要な指令・データの入力を行なう入力機器である。また、主制御部７は、コンピュータ（ＣＰＵ）と動作プログラムを中心に構成されていて、操作部６等による各種の指令入力、あるいは、Ｘ線撮影の進行状況などに応じて適当な命令信号やデータを必要な処へ適時に送出し、装置全体を常に適切に動作させる統括制御機能を果たす。
【００４１】
以上に述べたように、実施例の装置によれば、Ｘ線管１による被検体ＭへのＸ線照射に伴ってＦＰＤ２から出力されるＸ線画像用データに基づいてＸ線画像取得部３が取得する被検体Ｍの透過Ｘ線像に対応するＸ線透視画像を交互に取り込んで更新保持する第１と第２のバッファメモリ４Ａ，４Ｂが、Ｘ線透視画像の更新保持の際にＸ線画像取得部３から送り出されるＸ線透視画像を画像表示クロックとは別の画像取り込みクロックに従って画像表示クロックとは関係なく取り込む構成を備えていて、Ｘ線画像取得部３でＸ線透視画像を取得するのに必要な時間が画像表示クロックの有効期間内を超過した場合でも、第１と第２のバッファメモリ４Ａ，４Ｂは画像表示クロックに拘束されることなくＸ線画像取得部３で取得されたＸ線透視画像を遅滞なく更新保持できる。
【００４２】
よって、実施例の装置によれば、画像表示モニタ４ａに映し出されるＸ線透視画像に被検体Ｍの撮影部位で起こった変化を速やかに出現させられる。
【００４３】
加えて、実施例の装置の場合、画像表示器４の画像表示モニタ４ａでの表示走査期間ＴＡと帰線消去期間ＴＢがＮＴＳＣ方式に従って定められているので、実施例の装置を製造する際に、汎用的なＮＴＳＣ方式仕様の画像表示技術を利用できるという利点もある。
【００４４】
また、ＦＰＤ２は、検出応答性がイメージインテンシファイアほど良くはないので、Ｘ線画像取得部３でＸ線透視画像を取得するのに必要な時間が画像表示クロックの有効期間内を超過するほど長くなりがちであるが、Ｘ線画像取得部３で取得されたＸ線透視画像は第１と第２のバッファメモリ４Ａ，４Ｂにより遅滞なく更新保持されるので、ＦＰＤ２の検出応答性がＸ線透視画像の速やかな更新保持の妨げになることもない。
【００４５】
この発明は、上記の実施例に限られるものではなく、以下のように変形実施することも可能である。
【００４６】
（１）実施例の装置では、画像表示器４の表示走査期間ＴＡと帰線消去期間ＴＢがＮＴＳＣ方式に従って定められたものであったが、画像表示器４の表示走査期間ＴＡや帰線消去期間ＴＢは必ずしもＮＴＳＣ方式に従って定められたものである必要はない。
【００４７】
（２）実施例の装置の場合、Ｘ線画像取得部３はパイプライン方式でＸ線画像用データのデータ処理を行なう３個の画像用データ処理部３Ａ〜３Ｃを有していたが、Ｘ線画像取得部３が有する画像用データ処理部の個数は３個に限らず、２個あるいは４個以上であってもよい。
【００４８】
（３）実施例の装置の場合、ＦＰＤ２が直接変換タイプのＦＰＤであったが、ＦＰＤ２は間接変換タイプのものを用いるようにしてもよい。また、透過Ｘ線像検出用の２次元検出器は、ＦＰＤに限らず、ＦＰＤ以外の２次元Ｘ線検出器であってもよい。
【００４９】
（４）実施例の装置は、医用の装置であったが、この発明の装置は、医用に限らず、例えば工業用や原子力用の装置などにも適用することができる。
【図面の簡単な説明】
【００５０】
【図１】実施例のＸ線透視撮影装置の全体構成を示すブロック図である。
【図２】実施例の装置が装備するＦＰＤのＸ線検出素子の配置状況を示す平面図である。
【図３】実施例の装置が装備するＦＰＤの構成を示すブロック図である。
【図４】実施例の装置の画像表示器の画像表示周期を示すタイムチャートである。
【図５】実施例の装置の第１と第２のバッファメモリのＸ線透視画像の表示動作と更新動作の進行状況を示すタイムチャートである。
【図６】実施例の装置の画像表示モニタにおける帰線消去期間の詳細を示すタイムチャートである。
【図７】実施例の装置における画像表示クロックと画像取り込みクロックの有効範囲を示すタイムチャートである。
【図８】実施例の装置におけるＸ線画像取得部の画像取得の進行状況と第１と第２のバッファメモリの画像取り込みの進行状況を対応させて示すタイムチャートである。
【図９】実施例の装置の画像表示モニタにおけるＸ線透視画像表示の進行状況を示す模式図である。
【図１０】従来のＸ線透視撮影装置の概略構成を示すブロック図である。
【図１１】従来の装置の画像表示モニタにおけるＸ線透視画像表示の進行状況を示す模式図である。
【符号の説明】
【００５１】
１              …  Ｘ線管
２              …  ＦＰＤ（２次元Ｘ線検出器）
３              …  Ｘ線画像取得部（画像取得部）
４Ａ            …  第１バッファメモリ
４Ｂ            …  第２バッファメモリ
４ａ            …  画像表示モニタ
Ｍ              …  被検体
ＴＡ            …  表示走査期間
ＴＢ            …  帰線消去期間
【図１】
2006081736.tif 000003
【図２】
2006081736.tif 000004
【図３】
2006081736.tif 000005
【図４】
2006081736.tif 000006
【図５】
2006081736.tif 000007
【図６】
2006081736.tif 000008
【図７】
2006081736.tif 000009
【図８】
2006081736.tif 000010
【図９】
2006081736.tif 000011
【図１０】
2006081736.tif 000012
【図１１】
2006081736.tif 000013